(57)【特許請求の範囲】
【請求項１】
印刷媒体に印刷をするヘッドを収容する筐体であって、前記ヘッドを露出させる第一穴が設けられ且つ第一方向を向く第一筐体面と、前記第一方向とは反対の第二方向を向く第二筐体面とを有する筐体と、
前記第一筐体面に対向する第一対向壁部と、前記ヘッドに対して前記第一方向と交差する第三方向に離隔した位置で、前記第一対向壁部から前記第二方向へ延びる第一延設壁部とを有する第一カバーと、
前記第二筐体面に対向する第二対向壁部と、前記ヘッドに対して前記第三方向に離隔した位置で、前記第二対向壁部から前記第一方向へ延びる第二延設壁部とを有する第二カバーと、
前記ヘッドに対して前記第三方向とは反対の第四方向に離隔して設けられ、前記第一カバーを、第一被覆位置と第一開放位置との間で回転可能に支持する第一ヒンジ部であって、前記第一被覆位置は、前記第一カバーが前記第一筐体面の少なくとも一部を覆う位置であり、前記第一開放位置は、前記第一カバーが前記第一筐体面の少なくとも一部を開放する位置である第一ヒンジ部と、
前記ヘッドに対して前記第四方向に離隔して設けられ、前記第二カバーを、第二被覆位置と第二開放位置との間で回転可能に支持する第二ヒンジ部であって、前記第二被覆位置は、前記第二カバーが前記第二筐体面の少なくとも一部を覆う位置であり、前記第二開放位置は、前記第二カバーが前記第二筐体面の少なくとも一部を開放する位置である第二ヒンジ部と、
前記第一被覆位置にある前記第一カバーの前記第一延設壁部を、前記筐体に係合する一又は複数の第一係合部と、
前記第一方向と前記第三方向のそれぞれと交差する所定方向において、前記一又は複数の第一係合部のうち、少なくとも一つとは異なる位置に設けられ、前記第二被覆位置にある前記第二カバーの前記第二延設壁部を、前記筐体に係合する第二係合部と
を備えたことを特徴とする印刷装置。
【請求項２】
前記第二係合部は、前記所定方向において、前記一又は複数の第一係合部のいずれに対しても、異なる位置に設けられることを特徴とする請求項１に記載の印刷装置。
【請求項３】
前記第一延設壁部と前記第二延設壁部は、いずれも、前記第三方向と前記第四方向のそれぞれの方向に可撓性を有する壁部であり、
前記第一係合部は、
前記第一筐体面に設けられた第一筐体係合部と、
前記第一開放位置から前記第一被覆位置に向かう方向へ、前記第一延設壁部から延びる爪であって、前記第一延設壁部の撓みに伴って、前記第一筐体係合部に係合する位置と、前記第一筐体係合部との係合を解除する位置との間を変位する第一係合爪と
を備え、
前記第二係合部は、
前記第二筐体面に設けられた第二筐体係合部と、
前記第二開放位置から前記第二被覆位置に向かう方向へ、前記第二延設壁部から延びる爪であって、前記第二延設壁部の撓みに伴って、前記第二筐体係合部に係合する位置と、前記第二筐体係合部との係合を解除する位置との間を変位する第二係合爪と
を備えたことを特徴とする請求項１又は２に記載の印刷装置。
【請求項４】
前記所定方向に沿って均等に三等分された前記第一延設壁部の部位のうち、中央にある第一部位と、前記所定方向に沿って均等に三等分された前記第二延設壁部の部位のうち、中央にある第二部位とは、前記第一方向と平行な方向に互いに並び、
前記第一係合爪は、前記第一延設壁部の前記第一部位に設けられ、
前記第二係合爪は、前記第二延設壁部の前記第二部位から、前記所定方向にずれた位置に設けられたことを特徴とする請求項３に記載の印刷装置。
【請求項５】
前記第一延設壁部は、
前記第一係合爪よりも前記第三方向に設けられ、前記所定方向に延びる第一延設面と、
前記第三方向と平行な方向に前記第一係合爪と並ぶ位置にて、前記第一延設面に設けられ、前記第一係合爪を示す第一マークと
を備え、
前記第二延設壁部は、
前記第二係合爪よりも前記第三方向に設けられ、前記所定方向に延びる第二延設面と、
前記第三方向と平行な方向に前記第二係合爪と並ぶ位置にて、前記第二延設面に設けられ、前記第二係合爪を示す第二マークと
を備えたことを特徴とする請求項３又は４に記載の印刷装置。
【請求項６】
前記第一マークは、前記第一延設面から前記第三方向へ突出する凸部であり、
前記第二マークは、前記第二延設面から前記第三方向へ突出する凸部であることを特徴とする請求項５に記載の印刷装置。
【請求項７】
前記筐体に収容された操作ボタンを備え、
前記筐体は、前記第一ヒンジ部と前記第二ヒンジ部のそれぞれに対して前記第四方向に離隔した位置で、前記第四方向を向く面であって、前記操作ボタンを前記第四方向に露出させる穴部が設けられた特定筐体面を備えたことを特徴とする請求項１から６のいずれかに記載の印刷装置。
【請求項８】
前記第二筐体面は、電池を収容する第二穴が設けられた面であり、
前記第二カバーは、前記第二対向壁部から、前記電池に対して前記第二方向から対向する位置まで突出する突出部を備えたことを特徴とする請求項１から７のいずれかに記載の印刷装置。
【請求項９】
前記第一ヒンジ部は、
前記第一開放位置から前記第一被覆位置に向かう第一閉方向へ、前記第一対向壁部から延びる第一壁部と、
前記第一壁部から、前記第三方向と前記第四方向のいずれか一方の方向へ突出する第一突部と、
前記第一筐体面に設けられた開口部であって、前記第一突部が進入する第一進入穴を形成し、前記第一突部に対して前記第一閉方向とは反対方向から接触する第一開口部と
を備え、
前記第二ヒンジ部は、
前記第二開放位置から前記第二被覆位置に向かう第二閉方向へ、前記第二対向壁部から延びる第二壁部と、
前記第二壁部から、前記第三方向と前記第四方向のいずれか一方の方向へ突出する第二突部と、
前記第二筐体面に設けられた開口部であって、前記第二突部が進入する第二進入穴を形成し、前記第二突部に対して前記第二閉方向とは反対方向から接触する第二開口部と
を備え、
前記第一ヒンジ部と前記第二ヒンジ部は、前記所定方向において互いに異なる位置に設けられたことを特徴とする請求項１から８のいずれかに記載の印刷装置。
【請求項１０】
前記筐体に収容され、前記第一方向と平行な第一軸線を中心に回転可能なプラテンローラと、
前記プラテンローラを回転可能に支持し、且つ前記第一軸線と平行な第二軸線を中心に、挟持位置と離隔位置との間で揺動可能な部材であって、前記挟持位置は、前記プラテンローラを、前記ヘッドとの間で前記印刷媒体を挟持させる揺動位置であり、前記離隔位置は、前記プラテンローラを、前記印刷媒体を間にして前記ヘッドから離隔させる揺動位置である保持部材と
を備え、
前記第一カバーは、前記第一開放位置から前記第一被覆位置に向かう第一閉方向へ、前記第二対向壁部から突出する壁部であって、前記第一カバーの前記第一被覆位置と前記第一開放位置との間の回転に伴って、前記離隔位置にある前記保持部材に接触可能な接触面を有する突出壁部を備え、
前記接触面は、第一閉方向へ向かうほど、前記挟持位置から前記離隔位置へ向かう方向側に延びることを特徴とする請求項１から９のいずれかに記載の印刷装置。
【発明の詳細な説明】
【技術分野】
【０００１】
本発明は、印刷装置に関する。
【背景技術】
【０００２】
従来、開閉可能なカバーを備えた印刷装置が知られている。例えば、特許文献１に開示の印刷装置では、カセットカバーは、筐体の一例である本体カバーの一方側の端部によって軸支される。カセットカバーは、開放位置と閉鎖位置との間を回動可能である。カセットカバーが開放位置から閉鎖位置まで回動することで、本体カバーのカセット装着部は、被覆される。
【０００３】
本体カバーの他方側の端部に、カセットカバーとは異なる第一カバーが軸支される場合が考えられる。第一カバーは、本体カバーを開放する第一位置と、本体カバーを被覆する第二位置との間を回動可能である。
【０００４】
さらに、閉鎖位置にあるカセットカバーを本体カバーに係合する第一係合部と、第二位置にある第一カバーを本体カバーに係合する第二係合部とを備えた印刷装置が考えられる。第一係合部と第二係合部は、一つずつ配置される。カセットカバーが閉鎖位置にあり、且つ第一カバーが第二位置にある場合、第一係合部と第二係合部は、カセット装着部の深さ方向に並ぶ位置に配置される。
【先行技術文献】
【特許文献】
【０００５】
【特許文献１】特開２０１５−１２３７２７号公報
【発明の概要】
【発明が解決しようとする課題】
【０００６】
しかし、上記印刷装置では、本体カバーを把持するユーザが、カセットカバーと本体カバーとの係合を解除しようとした場合に、第一カバーと本体カバーとの係合が解除される虞がある。反対に、ユーザが、第一カバーと本体カバーとの係合を解除しようとした場合、カセットカバーと本体カバーとの係合が解除される虞がある。
【０００７】
本発明の目的は、所定の回転位置で筐体に係合する二つのカバーを備え、カバーと筐体の係合を解除する操作性を向上させた印刷装置を提供することである。
【課題を解決するための手段】
【０００８】
本発明に係る印刷装置は、印刷媒体に印刷をするヘッドを収容する筐体であって、前記ヘッドを露出させる第一穴が設けられ且つ第一方向を向く第一筐体面と、前記第一方向とは反対の第二方向を向く第二筐体面とを有する筐体と、前記第一筐体面に対向する第一対向壁部と、前記ヘッドに対して前記第一方向と交差する第三方向に離隔した位置で、前記第一対向壁部から前記第二方向へ延びる第一延設壁部とを有する第一カバーと、前記第二筐体面に対向する第二対向壁部と、前記ヘッドに対して前記第三方向に離隔した位置で、前記第二対向壁部から前記第一方向へ延びる第二延設壁部とを有する第二カバーと、前記ヘッドに対して前記第三方向とは反対の第四方向に離隔して設けられ、前記第一カバーを、第一被覆位置と第一開放位置との間で回転可能に支持する第一ヒンジ部であって、前記第一被覆位置は、前記第一カバーが前記第一筐体面の少なくとも一部を覆う位置であり、前記第一開放位置は、前記第一カバーが前記第一筐体面の少なくとも一部を開放する位置である第一ヒンジ部と、前記ヘッドに対して前記第四方向に離隔して設けられ、前記第二カバーを、第二被覆位置と第二開放位置との間で回転可能に支持する第二ヒンジ部であって、前記第二被覆位置は、前記第二カバーが前記第二筐体面の少なくとも一部を覆う位置であり、前記第二開放位置は、前記第二カバーが前記第二筐体面の少なくとも一部を開放する位置である第二ヒンジ部と、前記第一被覆位置にある前記第一カバーの前記第一延設壁部を、前記筐体に係合する一又は複数の第一係合部と、前記第一方向と前記第三方向のそれぞれと交差する所定方向において、前記一又は複数の第一係合部のうち、少なくとも一つとは異なる位置に設けられ、前記第二被覆位置にある前記第二カバーの前記第二延設壁部を、前記筐体に係合する第二係合部とを備えたことを特徴とする。
【０００９】
上記構成によれば、第一カバーは、第一被覆位置で筐体に係合し、第二カバーは、第二被覆位置で筐体に係合する。ユーザは、第一被覆位置から第一開放位置に第一カバーを回転することで、第一カバーと筐体との係合を解除できる。また、ユーザは、第二被覆位置から第二開放位置に第二カバーを回転することで、第二カバーと筐体との係合を解除できる。第二係合部は、所定方向において第一係合部とは異なる位置に設けられる。これにより、ユーザが、第一カバーと筐体との係合を解除させる場合に、第二カバーと筐体との係合は、解除されにくい。よって、所定の回転位置で筐体に係合する二つのカバーを備え、カバーと筐体の係合を解除する操作性を向上させた印刷装置が実現される。
【図面の簡単な説明】
【００１０】
【図１】印刷装置１の斜視図である。
【図２】印刷装置１の別の斜視図である。
【図３】筐体３０の第一方向側の内部を示す斜視図である。
【図４】筐体３０の第二方向側の内部を示す斜視図である。
【図５】筐体３０の第二方向側の内部を示す別の斜視図である。
【図６】第一カバー１００、第二カバー２００、及び筐体３０を第四方向から見た図である。
【図７】図１のＡ−Ａ線矢指方向における印刷装置１の断面図である。
【図８】第一カバー１００、第二カバー２００、及び筐体３０を第三方向から見た図である。
【図９】図１のＢ−Ｂ線矢指方向における印刷装置１の断面図である。
【図１０】第一方向から見た本体ケース１０の図である。
【図１１】ユーザによって保持される印刷装置１の斜視図である。
【図１２】印刷装置２を第三方向から見た図である。
【図１３】印刷装置３を第三方向から見た図である。
【発明を実施するための形態】
【００１１】
以下、本発明の一実施形態である印刷装置１について、図面を参照して説明する。以下の説明では、図１の左下方向、右上方向、右下方向、左上方向、上方向、及び下方向を、それぞれ、印刷装置１の第一方向、第二方向、第三方向、第四方向、第五方向、及び第六方向と称す。第一方向と第二方向は、互いに反対の方向である。第三方向と第四方向は、互いに反対の方向である。第五方向と第六方向は、互いに反対の方向である。以下、第一方向と第二方向を総称する場合、「深さ方向」と称し、第三方向と第四方向を総称する場合、「横方向」と称し、第五方向と第六方向を総称する場合、「縦方向」と称す。深さ方向と横方向は、互いに直交する。縦方向は、深さ方向と横方向のそれぞれに対して直交する。
【００１２】
図１を参照し、印刷装置１の概略構成を説明する。印刷装置１は、ユーザが持ち運び可能なモバイルプリンタであり、例えば水平方向に延びる載置台（図示略）に載置される。印刷装置１は、一例として、縦方向が鉛直方向と平行になる姿勢で載置台に載置される。印刷装置１は、本体ケース１０の内部で、印刷媒体（図示略）にキャラクタを印刷する。キャラクタは、文字、図形、及び記号等である。印刷装置１は、キャラクタを印刷した印刷媒体を、本体ケース１０の外部へ排出する。本例の印刷媒体は、シート材である。
【００１３】
図１〜図１０を参照し、印刷装置１の構成を説明する。図１、図２に示すように、印刷装置１は、箱状の本体ケース１０を備える。深さ方向に沿って見た場合の本体ケース１０の形状は、四隅の角部が丸みを帯びた略正方形状である。本体ケース１０の横方向及び縦方向における中心部を通過して深さ方向に延びる軸線は、中心線１０Ａである。中心線１０Ａを基準とした径方向における本体ケース１０の端面は、深さ方向に沿って略面一に形成される。
【００１４】
本体ケース１０の第三方向の端部には排出開口部１６が設けられる。排出開口部１６は、深さ方向に長い略楕円形状の開口部である。排出開口部１６は、キャラクタが印刷された印刷媒体を、本体ケース１０の外部へ向けて排出する。後述のように、排出開口部１６は、筐体３０の排出開口部１６Ａと、第一カバー１００の排出開口部１６Ｂとによって形成される。
【００１５】
本体ケース１０の第四方向の端部には、円形状に形成された第一穴部１７が設けられる。後述のように、第一穴部１７は、筐体３０の第一穴部１７Ａと、第二カバー２００の第一穴部１７Ｂとによって形成される。第一穴部１７は、本体ケース１０の内部に配置された操作ボタン１５を、第四方向へ露出させる。ユーザは、操作ボタン１５を操作して、各種の情報を印刷装置１に入力できる。
【００１６】
第一穴部１７の第六方向側には、円形状に形成された第二穴部１８が設けられる。後述のように、第二穴部１８は、筐体３０の第二穴部１８Ａと、第二カバー２００の第二穴部１８Ｂとによって形成される。第二穴部１８は、本体ケース１０の内部に配置される給電部（図示略）を、第四方向へ露出させる。ユーザによって給電部に接続された電源アダプタ（図示略）は、印刷装置１に電力を供給する。
【００１７】
図２〜図５に示すように、本体ケース１０は、筐体３０、第一カバー１００、二つの第一ヒンジ部１５０（図６参照）、第一係合部９１（図８参照）、第二カバー２００、二つの第二ヒンジ部２５０（図６参照）、及び第二係合部９２（図８参照）を備える。筐体３０は、印刷媒体が印刷される空間を内側に形成する。筐体３０は周壁部３４を備える。周壁部３４は、印刷媒体が印刷される空間を、中心線１０Ａ（図１参照）を基準とした円周方向に沿って囲む壁部である。周壁部３４の第三方向側且つ第五方向側の角部には、開口部７１が設けられる。開口部７１は、筐体３０の内部に設けられたカッタレバー７０を、中心線１０Ａを基準とした径方向へ露出させる。カッタレバー７０については後述する。
【００１８】
周壁部３４の第三方向の端部は、第一筐体壁部３４Ａである。第一筐体壁部３４Ａは、縦方向に延びる略矩形状の板状である。第一筐体壁部３４Ａには、排出開口部１６の第二方向の部位を形成する排出開口部１６Ａが形成される。排出開口部１６Ａは、第一筐体壁部３４Ａを横方向に貫通する。
【００１９】
図６に示すように、周壁部３４の第四方向の端部を形成する部位は、第二筐体壁部３４Ｂである。第二筐体壁部３４Ｂは、縦方向に延びる略矩形状の板状である。第二筐体壁部３４Ｂは特定筐体面３４Ｃを備える。特定筐体面３４Ｃは、平面状に形成された面であり、第四方向を向く。「面が特定の方向を向く」とは、面の法線ベクトルが特定方向の成分を含むことを示す。即ち、特定の方向を向く面は、平面状であっても湾曲していてもよい。
【００２０】
第二筐体壁部３４Ｂには、第五方向から第六方向に向けて順に、第一穴部１７Ａと第二穴部１８Ａが設けられる。第一穴部１７Ａと第二穴部１８Ａは、それぞれ、略半円形状の穴部である。第一穴部１７Ａと第二穴部１８Ａは、いずれも、第二筐体壁部３４Ｂを横方向に貫通する。
【００２１】
図３に示すように、筐体３０の第一方向の端面は、第一筐体面３１である。第一筐体面３１は、第一方向を向く平面であり、印刷媒体が印刷される空間よりも第一方向側に設けられる。第一筐体面３１には、テープカセット６０が収容される第一穴２９を形成される。第一穴２９は、印刷媒体が印刷される筐体３０の内部の空間に、連通する。テープカセット６０は、巻回された印刷媒体を内蔵するケースである。テープカセット６０は、巻回された印刷媒体を、伸張した姿勢で露出させる開口部６０Ａ（図１０参照）を形成する。第一筐体面３１のうち、第一穴２９よりも第五方向側には、矩形穴３３が設けられる。矩形穴３３は、印刷媒体が印刷される筐体３０内部の空間に連通する。
【００２２】
図４に示すように、筐体３０の第二方向方の端面は、第二筐体面３２である。第二筐体面３２は、第二方向を向く平面であり、印刷媒体が印刷される空間よりも第二方向側に設けられる。第二筐体面３２には、横方向に沿う複数の電池８を収容する第二穴３７が設けられる。第二穴３７に収容された電池８は、筐体３０の内部で装着される。電池８は、印刷装置１に対して給電可能である。
【００２３】
図３〜図４を参照し、第一カバー１００の構成を説明する。第一カバー１００は、筐体３０に対して着脱可能な板状部材である。以下では、筐体３０に装着された状態を基準にして、第一カバー１００の構成を説明する。第一カバー１００は、後述の第一ヒンジ部１５０（図６参照）によって、第一被覆位置（図１参照）と第一開放位置（図３参照）との間を、縦方向に延びる軸線（図示略）を中心として回転可能に保持される。第一カバー１００の回転中心となる縦方向に延びる軸線は、第一穴２９よりも第四方向側にある。本例の第一被覆位置は、第一筐体面３１の全体を覆う第一カバー１００の回転位置である。本例の第一開放位置は、第一筐体面３１の全体を第一方向に向けて開放する第一カバー１００の回転位置である。第一カバー１００は、第一開放位置にある場合、筐体３０に対して着脱可能である。
【００２４】
以下、第一開放位置から第一被覆に向かう方向を「第一閉方向」と称し、第一被覆位置から第一開放位置に向かう方向を「第一開方向」と称す。第一開方向と第一閉方向は、互いに反対の方向である。第一閉方向は、図３等で示される矢印Ａ１が向く方向であり、第一開方向は、図３等で示される矢印Ａ２が向く方向である。
【００２５】
第一カバー１００は、第一対向壁部１１０、第一突出壁部１０５、及び、第一周壁部１４０を含む。第一対向壁部１１０は、第一開方向から第一筐体面３１に対向する、略正方形状の壁部である。第一突出壁部１０５は、第一対向壁部１１０から第一閉方向に延びる壁部である。第一突出壁部１０５は接触面１０５Ａを備える。接触面１０５Ａは、第一閉方向に向かうにつれて第五方向へ向かうように、平面状に延びる。即ち、接触面１０５Ａは、第一開方向と第一閉方向とに対して傾斜して延びる。接触面１０５Ａは、第一カバー１００の第一開放位置から第一被覆位置への回転に伴って、第一筐体面３１の矩形穴３３を通過して、筐体３０の内部に進入可能である。
【００２６】
第一周壁部１４０は、第一対向壁部１１０の周端部から第一閉方向に延びる壁部である。第一閉方向から見た場合の第一周壁部１４０の形状は、第一突出壁部１０５を取り囲む矩形且つ枠状である。第一カバー１００が第一被覆位置にある場合、第一周壁部１４０は筐体３０の周壁部３４と深さ方向に並ぶ（図１参照）。
【００２７】
第一カバー１００が第一被覆位置にある場合において、第一周壁部１４０のうち第一筐体壁部３４Ａと深さ方向に並ぶ壁部は、第一延設壁部１４０Ａである。第一延設壁部１４０Ａは、縦方向に延びる略矩形状の板状である。第一カバー１００が第一被覆位置にある場合、第一延設壁部１４０Ａは、第一対向壁部１１０の第三方向の端部から第二方向へ延びる壁部となる。第一カバー１００が第一被覆位置にある場合、第一延設壁部１４０Ａは、第一穴２９よりも第三方向側に配置される。第一延設壁部１４０Ａは、第一カバー１００の回転中心に対して離隔する方向と近接する方向のそれぞれ方向に、可撓性を有する。
【００２８】
第一延設壁部１４０Ａのうち、第一カバー１００の回転中心から離隔する方向の端面は、第一延設面１４０Ｂである。第一延設面１４０Ｂは、平面状に形成され、縦方向に延びる。第一延設面１４０Ｂのうちで、縦方向における中央部には、第一マーク１０８が設けられる。第一マーク１０８は、第一延設面１４０Ｂから、第一カバー１００の回転中心に対して離隔する方向へ突出する凸部である。第一マーク１０８は、後述の第一係合爪１２０を示す。
【００２９】
第一延設壁部１４０Ａには、排出開口部１６Ｂが設けられる。排出開口部１６Ｂは、第一マーク１０８よりも第五方向側にある。排出開口部１６Ｂは第一延設壁部１４０Ａを厚さ方向に貫通する。第一カバー１００が第一被覆位置にある場合に、排出開口部１６Ｂは、排出開口部１６Ａと共に、排出開口部１６を形成する。
【００３０】
図６、図７を参照し、第一ヒンジ部１５０を説明する。本例の第一ヒンジ部１５０は、第一穴２９（図３参照）から第四方向に離隔した位置、且つ、特定筐体面３４Ｃから第三方向に離隔した位置に、二つ設けられる。二つの第一ヒンジ部１５０は、縦方向に沿って間隔を空けて設けられる。二つの第一ヒンジ部１５０の縦方向における離間距離は、寸法Ｌ１に相当する。
【００３１】
第一ヒンジ部１５０は、第一壁部１５１、第一突部１５２、及び第一開口部３５を備える。第一壁部１５１は、第一突出壁部１０５（図３参照）よりも第一カバー１００の回転中心側で、第一対向壁部１１０から第一閉方向に延びる。第一突部１５２は、第一壁部１５１の第二方向の端部から第四方向へ突出する。第一開口部３５は、第一筐体面３１に設けられた開口部であり、第一壁部１５１と縦方向及び横方向において略同じ位置に配置される。
【００３２】
第一開口部３５は、第一突部１５２が進入する第一進入穴３５Ａを形成する。第一開口部３５は、第一進入穴３５Ａに進入する第一突部１５２に対して、第一方向から接触する接触部３５Ｂを備える。接触部３５Ｂに接触する第一突部１５２は、第一方向への移動を規制される。第一壁部１５１は、第一突部１５２と第一開口部３５とが互いに接触する位置を支点として、回転可能である。よって、第一カバー１００は、二つの第一ヒンジ部１５０によって、第一被覆位置と第一開放位置との間を回転可能に保持される。
【００３３】
図７、図８を参照し、第一係合部９１を説明する。第一係合部９１は、第一係合爪１２０と第一筐体係合部１２を備える。第一係合爪１２０は、第一延設面１４０Ｂよりも第四方向側に設けられる。第一係合爪１２０は、第一突出部１２１と第一突部１２２を備える。第一突出部１２１は、第一延設壁部１４０Ａの第一部位１４０Ｃに設けられる。第一部位１４０Ｃは、縦方向に沿って均等に三等分された第一延設壁部１４０Ａのうちで、中央の部位である。第一突出部１２１は、第一部位１４０Ｃのうちで、第一カバー１００の回転中心側の端面から、第一閉方向へ突出する。第一カバー１００が第一被覆位置にある場合、第一突出部１２１は、第一マーク１０８と横方向に並ぶ。
【００３４】
第一突部１２２は、第一突出部１２１の第一閉方向の端部から、第一カバー１００の回転中心側とは反対側へ突出する。即ち、第一カバー１００が第一被覆位置にある場合、第一突部１２２は、第一突出部１２１から第三方向へ突出する。第一突部１２２は、摺動面１２２Ａを備える。摺動面１２２Ａは、第一閉方向に向かうほど第四方向へ向かうように、平面状に延びる。摺動面１２２Ａは、第一閉方向と第一開方向のそれぞれの方向に対して傾斜して延びる。
【００３５】
第一筐体係合部１２は、第一筐体面３１に設けられた開口部である。第一筐体係合部１２は、第一突部１２２が進入可能な穴である第一係合穴５を形成する。第一筐体係合部１２は接触部１３を備える。接触部１３が、第一係合穴５に進入した第一突部１２２に対して、第一方向から接触することで、第一係合部９１は、第一被覆位置にある第一カバー１００を筐体３０に係合する。接触部１３は摺動面１３Ａを備える。摺動面１３Ａは、第二方向に向かうほど、第四方向へ向かうように平面状に延びる。摺動面１３Ａは、摺動面２２２Ａに対して摺動可能である。
【００３６】
図２〜図５を参照し、第二カバー２００の構成を説明する。第二カバー２００は、筐体３０に対して着脱可能な板状部材である。以下では、筐体３０に装着された状態を基準にして、第二カバー２００の構成を説明する。第二カバー２００は、後述の第二ヒンジ部２５０（図９参照）によって、第二被覆位置（図１参照）と第二開放位置（図４参照）との間を、縦方向に延びる軸線（図示略）を中心として回転可能に保持される。第二カバー２００の回転中心となる縦方向に延びる軸線は、第一穴２９（図３参照）よりも第四方向側にある。本例の第二被覆位置は、第二筐体面３２の全体を覆う第二カバー２００の回転位置である。本例の第二開放位置は、第二筐体面３２の全体を第二方向に向けて開放する第二カバー２００の回転位置である。第二カバー２００は、第二開放位置にある場合、筐体３０に対して着脱可能である。
【００３７】
以下、第二開放位置から第二被覆に向かう方向を「第二閉方向」と称し、第二被覆位置から第二開放位置に向かう方向を「第二開方向」と称す。第二開方向と第二閉方向は、互いに反対の方向である。第二閉方向は、図３等で示される矢印Ｂ１が向く方向であり、第二開方向は、図３等で示される矢印Ｂ２が向く方向である。
【００３８】
第二カバー２００は、第二対向壁部２１０、二つの第二突出壁部２０５、及び第二周壁部２４０を備える。第二対向壁部２１０は、第二開方向から第二筐体面３２に対向する、略正方形状の壁部である。二つの第二突出壁部２０５は、それぞれ、第二対向壁部２１０から第二閉方向に向けて突出する。二つの第二突出壁部２０５は、第二カバー２００の回転中心から離隔する方向に沿って、並んで設けられる。第二カバー２００が第二被覆位置にある場合、二つの第二突出壁部２０５は、第二開方向（換言すると第二方向）から複数の電池８に対向する。
【００３９】
第二周壁部２４０は、第二対向壁部２１０の周端部から第二閉方向に延びる壁部である。第二閉方向から見た場合の第二周壁部２４０の形状は、二つの第二突出壁部２０５を取り囲む矩形且つ枠状である。第二カバー２００が第二被覆位置にある場合、第二周壁部２４０は、筐体３０の周壁部３４と深さ方向に並ぶ（図２参照）。
【００４０】
第二周壁部２４０のうち、筐体３０の第一筐体壁部３４Ａと深さ方向に並ぶ壁部は、第二延設壁部２４０Ａである。第二延設壁部２４０Ａは、縦方向に延びる略矩形状の板状である。第二カバー２００が第二被覆位置にある場合、第二延設壁部２４０Ａは、第二対向壁部２１０の第三方向の端部から第一方向へ延びる壁部となる。即ち、第二カバー２００が第二被覆位置にある場合において、第二延設壁部２４０Ａは、第一穴２９（図３参照）よりも第三方向側に配置される。第二延設壁部２４０Ａは、第二カバー２００の回転中心に対して離隔する方向と近接する方向のそれぞれの方向に、可塑性を有する。
【００４１】
第二延設壁部２４０Ａのうちで、第二カバー２００の回転中心から離隔する方向の端面は、第二延設面２４２である。第二延設面２４２は、縦方向に延びる略矩形状の平面である。第二延設面２４２の第六方向側の部位には、第二マーク２０８が設けられる。第二マーク２０８は、第二延設面２４２から第二カバー２００の回転中心に対して離隔する方向へ突出する凸部である。第二マーク２０８は、後述の第二係合爪２２０を示す。
【００４２】
図６に示すように、第二周壁部２４０のうち、第二延設壁部２４０Ａとは反対側の壁部は、特定壁部２４０Ｂである。特定壁部２４０Ｂは、縦方向に延びる板状である。特定壁部２４０Ｂは、特定筐体面２４０Ｃを備える。第二カバー２００が第二被覆位置にある場合、特定筐体面２４０Ｃは、特定壁部２４０Ｂの第四方向の端面となる。特定壁部２４０Ｂには、第一穴部１７Ｂ、第二穴部１８Ｂが、第五方向から第六方向に順に設けられる。第二カバー２００が第二被覆位置にある場合、第一穴部１７Ｂは、第一穴部１７Ａと共に第一穴部１７を形成し、第二穴部１８Ｂは、第二穴部１８Ａと共に第二穴部１８を形成する。
【００４３】
図６、図９を参照し、第二ヒンジ部２５０を説明する。本例の第二ヒンジ部２５０は、第一穴２９（図３参照）から第四方向に離隔した位置、且つ、特定筐体面３４Ｃから第三方向に離隔した位置に、二つ設けられる。二つの第二ヒンジ部２５０は、縦方向に沿って間隔を空けて設けられる。本例では、二つの第二ヒンジ部２５０は、いずれも、縦方向において二つの第一ヒンジ部１５０の間に配置される。二つの第二ヒンジ部２５０の縦方向における離間距離は、寸法Ｌ２に相当する。寸法Ｌ２は、寸法Ｌ１よりも短い。
【００４４】
第二ヒンジ部２５０は、第二壁部２５１、第二突部２５２、及び第二開口部２５を備える。第二壁部２５１は、第二対向壁部２１０（図３参照）から第一方向に延びる。第二突部２５２は、第二壁部２５１の第一方向の端部から第四方向へ突出する。第二開口部２５は、第二筐体面３２に設けられた開口部であり、第二壁部２５１と縦方向及び横方向において略同じ位置に配置される。
【００４５】
第二開口部２５は、第二突部２５２が進入する第二進入穴２５Ａを形成する。第二開口部２５は、第二進入穴２５Ａに進入する第二突部２５２に対して、第二方向から接触する接触部２５Ｂを備える。接触部２５Ｂに接触する第二突部２５２は、第二方向への移動を規制される。第二壁部２５１は、第二突部２５２と第二開口部２５とが互いに接触する位置を支点として、回転可能である。よって、第二カバー２００は、二つの第二ヒンジ部２５０によって、第二被覆位置と第二開放位置との間を回転可能に保持される。
【００４６】
図８、図９を参照し、第二係合部９２を説明する。第二係合部９２は、縦方向において、第一係合部９１よりも第六方向側に配置される。第二係合部９２は、第二係合爪２２０と第二筐体係合部２２を備える。第二係合爪２２０は、第二突出部２２１と第二突部２２２を備える。第二突出部２２１は、第二延設壁部２４０Ａのうちで第二部位２４０Ｄよりも第六方向にずれた部位に設けられる。第二部位２４０Ｄは、縦方向に沿って均等に三等分された第二延設壁部２４０Ａのうちで、中央の部位である。第二部位２４０Ｄは、第一カバー１００の第一部位１４０Ｃと深さ方向に並ぶ。第二突出部２２１は、第二部位２４０Ｄのうちで、第二カバー２００の回転中心側の端面から、第二閉方向へ突出する。第二カバー２００が第二被覆位置にある場合、第二突出部２２１は、第二マーク２０８と横方向に並ぶ。
【００４７】
第二突部２２２は、第二突出部２２１の第二閉方向の端部から、第二カバー２００の回転中心側とは反対側へ突出する。即ち、第二カバー２００が第二被覆位置にある場合、第二突部２２２は、第二突出部２２１から第四方向へ突出する。第二突部２２２は、摺動面２２２Ａを備える。摺動面２２２Ａは、第二閉方向に向かうほど第三方向へ向かうように、平面状に延びる。摺動面２２２Ａは、第二閉方向と第二開方向のそれぞれの方向に対して傾斜して延びる。
【００４８】
第二筐体係合部２２は、第二筐体面３２に設けられた開口部である。第二筐体係合部２２は、第二突部２２２が進入可能な穴である第二係合穴６を形成する。第二筐体係合部２２は、接触部２３を備える。接触部２３は、第二係合穴６に進入した第二突部２２２に対して、第二方向から接触する。接触部２３が、第二係合穴６に進入した第二突部２２２に対して第二方向から接触することで、第二係合部９２は、第二被覆位置にある第二カバー２００を筐体３０に係合する。接触部２３は摺動面２３Ａを備える。摺動面２３Ａは、第一方向に向かうほど、第四方向へ向かうように平面状に延びる。摺動面２３Ａは、摺動面１２２Ａに対して摺動可能である。
【００４９】
図１０を参照し、筐体３０の内部の概略構成を説明する。図１０は、筐体３０の第一筐体面３１の図示を省略する。筐体３０の内部には、ヘッドホルダ７６が固定される。ヘッドホルダ７６は、縦方向に厚さを有する、略矩形状の板状部材である。ヘッドホルダ７６の第五方向の端面には、サーマルヘッド７３が設けられる。サーマルヘッド７３は、筐体３０の内部に収容されており、第一穴２９（図３参照）によって第一方向に露出される。横方向において、サーマルヘッド７３は、第一係合部９１と第二係合部９２よりも第四方向側、且つ、第一ヒンジ部１５０と第二ヒンジ部２５０よりも第三方向側に配置される。サーマルヘッド７３は、テープカセット６０の開口部６０Ａを通過する印刷媒体（図示略）に対して第六方向から対向する。
【００５０】
テープカセット６０よりも第五方向側には、ローラホルダ７４が設けられる。ローラホルダ７４は保持部７４Ａを備える。保持部７４Ａは、テープカセット６０側に向けて開口する略箱状である。保持部７４Ａのうちでテープカセット６０とは反対側の端部は、当接部７５である。当接部７５は、第二方向に向かうほど、第五方向に向かうように延びる壁部である。当接部７５は、第一カバー１００の第一閉方向に対して傾斜する方向に延びる。当接部７５は、第一カバー１００の第一突出壁部１０５の接触面１０５Ａ（図３参照）と接触可能である。保持部７４Ａは、当接部７５よりも第四方向側で、プラテンローラ８１を保持する。プラテンローラ８１は、深さ方向に沿うローラであり、深さ方向に延びる第一軸線Ｓを中心に回転可能である。プラテンローラ８１は、筐体３０内部に設けられた駆動モータ（図示略）に連結する。駆動モータの駆動に伴って、プラテンローラ８１は第一軸線Ｓを中心に回転する。
【００５１】
ローラホルダ７４は、プラテンローラ８１よりも第四方向側で深さ方向に延びる第二軸線Ｗを中心に、挟持位置（図示略）と離隔位置（図１０参照）との間を揺動可能である。ローラホルダ７４が挟持位置にある場合、プラテンローラ８１は、開口部６０Ａにある印刷媒体をサーマルヘッド７３との間で挟持する。ローラホルダ７４が離隔位置にある場合、プラテンローラ８１は、開口部６０Ａにある印刷媒体を間にして、サーマルヘッド７３から第五方向に離隔する（図１０参照）。また、ローラホルダ７４が離隔位置にある場合、当接部７５は矩形穴３３の第二方向側にある。
【００５２】
以下、第一方向から見た場合における第二軸線Ｗを中心とした時計回り方向を、第一揺動方向と称し、第一揺動方向とは反対方向を第二揺動方向と称す。第一揺動方向は、矢印Ｍ１が向く方向であり、第二揺動方向は、矢印Ｍ２が向く方向である。挟持位置は、離隔位置よりも第一揺動方向側にある。
【００５３】
ローラホルダ７４が挟持位置にある場合、プラテンローラ８１が印刷媒体を間にしてサーマルヘッド７３に接触する。これにより、ローラホルダ７４は、挟持位置から第一揺動方向へ揺動するのを規制される。この状態で、駆動モータ（図示略）が駆動することで、プラテンローラ８１は、サーマルヘッド７３との間で挟んだ印刷媒体を、排出開口部１６（図１参照）に向けて搬送できる。
【００５４】
ローラホルダ７４が離隔位置にある場合、保持部７４Ａは、筐体３０の内部に設けられた当接部材（図示略）に当接する。これにより、ローラホルダ７４は、離隔位置から第二揺動方向へ揺動するのを規制される。尚、ローラホルダ７４は、ホルダバネ（図示略）によって、第二揺動方向に向けて付勢されている。
【００５５】
ローラホルダ７４はストッパ７４Ｂを備える。ストッパ７４Ｂは、深さ方向に厚さを有する板状の壁部であり、保持部７４Ａから第五方向側（即ち、サーマルヘッド７３とは反対側）へ延びる。ストッパ７４Ｂは、後述のカッタレバー７０の接触部７０Ｂと当接可能である。
【００５６】
テープカセット６０の第三方向側には、受台１８０が設けられる。受台１８０には、プラテンローラ８１によって搬送される印刷媒体に対して、第六方向側から対向する。受台１８０の第五方向側には、カッタホルダ１８５が設けられる。カッタホルダ１８５は、収容するカッタ（図示略）を第六方向に向けて露出させる箱状体である。カッタホルダ１８５は、切断位置（図示略）と切断待機位置（図１０参照）との間を、縦方向に沿って移動可能である。カッタホルダ１８５が切断位置にある場合、カッタは、受台１８０との間で印刷媒体を挟み込んで切断する。カッタホルダ１８５が切断待機位置にある場合、カッタは、印刷媒体を間にして受台１８０から第五方向に離隔する。
【００５７】
カッタホルダ１８５の第五方向側には、カッタレバー７０が設けられる。カッタレバー７０は、深さ方向に厚さを有する板状である。カッタレバー７０は、受台１８０の第三方向側で深さ方向に延びる支持軸７９を中心に、回転可能である。カッタレバー７０は、開口部７１に収容される。より詳細には、カッタレバー７０は、中心線１０Ａ（図１参照）を基準とした径方向における筐体３０の端面よりも、筐体３０の内側に位置する。
【００５８】
カッタレバー７０は、接触部７０Ａ、７０Ｂを備える。接触部７０Ａは、カッタホルダ１８５に対して第五方向側から対向する。ユーザが、例えば人指し指でカッタレバー７０を、第一回転方向に回転させた場合、接触部７０Ａは、カッタホルダ１８５に接触する。第一回転方向は、第一方向から見た場合における、支持軸７９を中心とした反時計回り方向である。受台１８０に接触する接触部７０Ａは、カッタホルダ１８５を切断待機位置から切断位置まで移動させることができる。
【００５９】
接触部７０Ｂは、ストッパ７４Ｂの第五方向側に配置される。カッタホルダ１８５が第一回転方向へ回転することで、接触部７０Ｂは、離隔位置にあるローラホルダ７４のストッパ７４Ｂに対して、接触可能である。この場合、離隔位置にあるローラホルダ７４は、カッタレバー７０の第一回転方向への回転を規制し、接触部７０Ａとカッタホルダ１８５との接触を規制する。これにより、カッタホルダ１８５の切断位置に向けた移動は、規制される。一方、カッタレバー７０が挟持位置にある場合、ストッパ７４Ｂは、接触部７０Ｂとは接触しない。この場合、カッタレバー７０の第一回転方向への回転が許容され、接触部７０Ａとカッタホルダ１８５との接触は許容される。これにより、カッタホルダ１８５の切断位置に向けた移動は、許容される。
【００６０】
図７、図１０、及び図１１を参照し、筐体３０に装着されたテープカセット６０を、別のテープカセット６０に交換する方法を説明する。第一カバー１００は、第一被覆位置にて筐体３０に係合され、第二カバー２００は、第二被覆位置にて筐体３０に係合されている。また、挟持位置にあるローラホルダ７４の当接部７５は、第一カバー１００の接触面１０５Ａ（図３参照）に接触している。
【００６１】
ユーザは、印刷装置１の本体ケース１０を、例えば、第三方向が上方向と一致するように、両手で保持する（図１１参照）。ユーザは、第一マーク１０８を例えば親指で第四方向に押す。第一カバー１００の第一延設壁部１４０Ａが、第四方向に撓むことで、第一突出部１２１は、第四方向（図７の矢印Ｈ１方向）に撓む。第一突部１２２は、第一筐体係合部１２の接触部１３と接触する位置（図７参照）から、接触部１３よりも第四方向側となる位置まで変位する。即ち、第一突部１２２は、第一筐体係合部１２に係合する位置から、第一筐体係合部１２との係合を解除する位置まで移動する。第一カバー１００は、第一開方向に向けて回転可能となる。
【００６２】
ユーザは、第一カバー１００を第一被覆位置から第一開放位置まで回転させる。第一カバー１００の回転に伴い、接触面１０５Ａ（図３参照）は第一開方向へ回転する。ローラホルダ７４は、ホルダバネ（図示略）の付勢力によって、挟持位置から離隔位置まで揺動する。ユーザは、第一開放位置まで回転させた第一カバー１００を、第三方向（図７の矢印Ｎ１方向）に変位させる。第一突部１５２は、第一開口部３５の接触部３５Ｂよりも第三方向側へ変位する。これにより、第一カバー１００は、筐体３０から離脱可能となる。ユーザは、第一カバー１００を第一方向へ変位させることで、第一カバー１００を筐体３０から取り外す。テープカセット６０は、第一方向に向けて露出される。ユーザは、本体ケース１０に装着されたテープカセット６０を、他のテープカセット６０に交換する。
【００６３】
テープカセット６０が交換された後、ユーザは、第一カバー１００の二つの第一突部１５２をそれぞれ、筐体３０の二つの第一進入穴３５Ａに進入させる（図示略）。ユーザは、各第一突部１５２を各接触部３５Ｂに第二方向から接触させた後（図７参照）、第一カバー１００を第一閉方向へ回転させる。第一カバー１００の回転に伴って、接触面１０５Ａ（図３参照）が、矩形穴３３を通過して、ローラホルダ７４の当接部７５に接触する。接触面１０５Ａは、ホルダバネの付勢力に抗って、ローラホルダ７４を離隔位置から挟持位置まで揺動させる。
【００６４】
また、第一カバー１００の第一閉方向への回転に伴って、第一突部１２２の摺動面１２２Ａが、第一筐体係合部１２の摺動面１３Ａに対して摺動する（図示略）。第一突出部１２１が第四方向（矢印Ｈ１方向）に撓みながら第一閉方向に回転することで、第一突部１２２は接触部１３よりも第二方向側へ回転する。撓んでいた第一突出部１２１は、第三方向に変位し、元の姿勢に戻る。第一係合部９１は、第一被覆位置にある第一カバー１００を、筐体３０に係合する。
【００６５】
図４、図９、及び図１１を参照し、複数の電池８（図４参照）を、他の複数の電池８（図示略）に交換する方法を説明する。第一カバー１００は、第一被覆位置にて筐体３０に係合され、第二カバー２００は、第二被覆位置にて筐体３０に係合されている。
【００６６】
ユーザは、印刷装置１の本体ケース１０を、例えば、第三方向が上方向と一致するように、両手で保持する（図１１参照）。ユーザは、第二マーク２０８を例えば親指で第四方向に押す。第二カバー２００の第二延設壁部２４０Ａが、第四方向に撓むことで、第二突出部２２１は、第四方向（図９の矢印Ｈ２方向）に撓む。第二突部２２２は、第二筐体係合部２２の接触部２３と接触する位置（図９参照）から、接触部２３よりも第四方向側となる位置まで変位する。即ち、第二突部２２２は、第二筐体係合部２２に係合する位置から、第二筐体係合部２２との係合を解除する位置まで移動する。第二カバー２００は、第二開方向に向けて回転可能となる。
【００６７】
ユーザは、第二カバー２００を第二被覆位置から第二開放位置まで回転させる。ユーザが、第二開放位置にある第二カバー２００を、第三方向（図９の矢印Ｎ２方向）に変位させることで、第二突部２５２は、第二開口部２５の接触部２５Ｂよりも第三方向側へ変位する。これにより、第二カバー２００は、筐体３０から離脱可能となる。ユーザは、第二カバー２００を第二方向へ変位させることで、第二カバー２００を筐体３０から取り外す。ユーザは、複数の電池８を他の複数の電池８に交換する。
【００６８】
電池８が交換された後、ユーザは、第二カバー２００の二つの第二突部２５２をそれぞれ、筐体３０の二つの第二進入穴２５Ａに進入させる（図示略）。ユーザは、各第二突部２５２を各接触部２５Ｂに第一方向から接触させた後（図９参照）、第二カバー２００を第二閉方向へ回転させる。
【００６９】
第二カバー２００の第二閉方向への回転に伴って、第二突部２２２の摺動面２２２Ａが、第二筐体係合部２２の摺動面２３Ａに対して摺動する（図示略）。第二突出部２２１が第四方向（矢印Ｈ２方向）に撓みながら第二閉方向に回転することで、第二突部２２２は接触部２５Ｂよりも第一方向側へ回転する。撓んでいた第二突出部２２１は、第三方向に変位し、元の姿勢に戻る。第二係合部９２は、第二被覆位置にある第二カバー２００を、筐体３０に係合する。
【００７０】
図８、図１０を参照し、第一カバー１００と第二カバー２００が取り外された本体ケース１０を、ユーザが保持する場合を説明する。この場合、ローラホルダ７４は、離隔位置にあり、ローラホルダ７４のストッパ７４Ｂは、接触部７０Ｂに対して第六方向側から対向する。ユーザが、本体ケース１０を誤って落とした場合、本体ケース１０は、例えば地面に衝突する。この場合であっても、カッタレバー７０は開口部７１に収容されているので、地面に衝突しにくい。即ち、カッタレバー７０が地面に衝突することに伴い、カッタレバー７０がストッパ７４Ｂに対して衝突するのを、印刷装置１は抑制できる。よって、印刷装置１は、カッタレバー７０とストッパ７４Ｂのそれぞれの破損を抑制できる。
【００７１】
以上、説明したように、第一被覆位置にある第一カバー１００は、第一係合部９１によって筐体３０に係合され、第二被覆位置にある第二カバー２００は、第二係合部９２によって筐体３０に係合される。ユーザは、第一マーク１０８を例えば親指で第四方向へ付勢することで、第一カバー１００と筐体３０との係合を解除できる。筐体３０との係合が解除された第一カバー１００は、第一被覆位置から第一開放位置まで回転できる。また、ユーザは、第二マーク２０８を例えば親指で第四方向へ付勢することで、第二カバー２００と筐体３０との係合を解除できる。筐体３０との係合が解除された第二カバー２００は、第二被覆位置から第二開放位置まで回転できる。第二係合部９２は、縦方向において、第一係合部９１とは異なる位置に設けられる。これにより、ユーザが、第一カバー１００と筐体３０との係合を解除する場合において、第二カバー２００と筐体３０との係合は、解除されにくい。ユーザが第一カバー１００と筐体３０の係合を解除する操作性は、向上する。よって、印刷装置１は、所定の回転位置で筐体３０に係合する第一カバー１００と第二カバー２００を備え、第一カバー１００と筐体３０との係合を解除する操作性を向上できる。
【００７２】
ユーザが第一マーク１０８を第四方向に付勢するだけで、第一カバー１００と筐体３０の係合との係合は解除され、ユーザが第二マーク２０８を第四方向に付勢するだけで、第二カバー２００と筐体３０との係合は解除される。よって、印刷装置１は、第一カバー１００と筐体３０の係合との係合を解除する操作性と、第二カバー２００と筐体３０との係合を解除する操作性とを、向上できる。
【００７３】
第一係合爪１２０は、第一部位１４０Ｃに設けられ、第二係合爪２２０は、第二延設壁部２４０Ａのうち第二部位２４０Ｄから第六方向にずれた部位に設けられる。ユーザは、本体ケース１０を両手で保持した場合、第一部位１４０Ｃと第二部位２４０Ｄとに触り易い。従って、第二カバー２００と筐体３０との係合が解除される場合に比べて、第一カバー１００と筐体３０との係合は、解除され易い。よって、印刷装置１は、第一カバー１００と筐体３０との係合を解除する操作性を向上できる。また、本例では、電池８が交換される頻度よりも、テープカセット６０が交換される頻度の方が高い。よって、印刷装置１は、第一カバー１００と筐体３０との係合を解除させ易くすることで、印刷装置１の保守作業の操作性を向上できる。
【００７４】
第一延設面１４０Ｂには第一マーク１０８が設けられ、第二延設面２４２には第二マーク２０８が設けられる。本例では、第一カバー１００と第二カバー２００がそれぞれ第一被覆位置と第二被覆位置にある場合、ユーザは、第一係合爪１２０と第二係合爪２２０を視認できない。この場合であっても、第一マーク１０８と第二マーク２０８はそれぞれ、ユーザに、第一係合爪１２０と第二係合爪２２０の配置位置を視認させることができる。よって、印刷装置１は、第一カバー１００と筐体３０との係合を解除する操作性と、第二カバー２００と筐体３０との係合との係合を解除する操作性とを、向上できる。
【００７５】
第一マーク１０８は、第一延設面１４０Ｂから第三方向に突出する凸部であり、第二マーク２０８は、第二延設面２４２から第三方向に突出する凸部である。本体ケース１０を保持するユーザは、第一マーク１０８と第二マーク２０８のそれぞれに指を引っ掛けることができる。よって、印刷装置１は、第一カバー１００と筐体３０との係合を解除する操作性と、第二カバー２００と筐体３０との係合との係合を解除する操作性とを、向上できる。
【００７６】
第一穴部１７Ａによって露出される操作ボタン１５は、第一ヒンジ部１５０と第二ヒンジ部２５０のそれぞれに対して、第四方向側にあるので、第一係合部９１の第一係合爪１２０と、第二係合部９２の第二係合爪２２０から離隔する。従って、第一カバー１００と第二カバー２００がそれぞれ、回転する場合に、第一係合爪１２０と第二係合爪２２０は、いずれも、操作ボタン１５に接触しにくい。よって、印刷装置１は、誤動作を抑制できる。
【００７７】
第二カバー２００が第二被覆位置にある場合、第二突出壁部２０５は、第二方向から複数の電池８に対向する。これにより、第二突出壁部２０５は、電池８が、第二穴３７から第二方向に変位するのを抑制する。印刷装置１は筐体３０に装着された電池８が外れるのを抑制できる。
【００７８】
第一ヒンジ部１５０と第二ヒンジ部２５０は、縦方向において、互いに異なる位置に設けられる。第一カバー１００と第二カバー２００が筐体３０から外れている場合において、第一カバー１００の二つの第一突部１５２は、それぞれ、筐体３０の二つの第二進入穴２５Ａに進入できない。同様に、第二カバー２００の二つの第二突部２５２は、それぞれ、筐体３０の第一進入穴３５Ａに進入できない。よって、印刷装置１は、第一カバー１００と第二カバー２００がそれぞれ、誤った位置で筐体３０に取り付けられることを抑制できる。
【００７９】
ユーザは、第一カバー１００を第一開放位置から第一被覆位置に回転させるだけで、ローラホルダ７４を、離隔位置から挟持位置まで揺動させることができる。従って、印刷装置１は、ローラホルダ７４を離隔位置から挟持位置まで揺動させる操作性を向上できる。
【００８０】
上記実施形態において、サーマルヘッド７３は、本発明の「ヘッド」の一例である。第一穴部１７Ａは、本発明の「穴部」の一例である。第二突出壁部２０５は、本発明の「突出部」の一例である。ローラホルダ７４は、本発明の「保持部材」の一例である。第一突出壁部１０５は、本発明の「突出壁部」の一例である。縦方向は、本発明の「所定方向」の一例である。
【００８１】
尚、本発明は、上記実施形態に限定されず、種々の変更が可能である。第一方向を向く第一筐体面３１と第二方向を向く第二筐体面３２は、いずれも、平面状に形成される代わりに、湾曲して形成されていてもよい。第一被覆位置にある第一カバー１００は、第一筐体面３１の一部のみを覆う構成であってもよい。同様に、第二被覆位置にある第二カバー２００は、第二筐体面３２の一部のみを覆う構成であってもよい。
【００８２】
第一マーク１０８は、凸部に代えて、第一部位１４０Ｃに設けられた開口部であってもよいし、第一延設面１４０Ｂから第三方向に向けて凹む凹部であってもよいし、所定の情報を表示するシールであってもよい。同様に、第二マーク２０８は、凸部に代えて、第二延設壁部２４０Ａに設けられた開口部であってもよいし、第二延設面２４２から第三方向に向けて凹む凹部であってもよいし、所定の情報を表示するシールであってもよい。
【００８３】
第一突部１５２は、第一壁部１５１から第四方向へ突出する代わりに、第一壁部１５１から第三方向へ突出していてもよい。この場合、第一開口部３５の接触部３５Ｂは、第一壁部１５１に対して第三方向側に設けられる。同様に、第二突部２５２は、第二壁部２５１から第四方向へ突出する代わりに、第二壁部２５１から第三方向へ突出していてもよい。この場合、第二開口部２５の接触部２５Ｂは、第二壁部２５１に対して第三方向側に設けられる。
【００８４】
第一係合部９１と第二係合部９２は、それぞれ複数設けられてもよい。図１２では、印刷装置１の第一変形例である印刷装置２を示す。印刷装置２は、第一係合部９１と第二係合部９２をそれぞれ二つ備える点を除いて、印刷装置１と同様の構成である。各第一係合部９１と各第二係合部９２は、略深さ方向に並ぶ。換言すると、二つ第一係合部９１のいずれか一方は、二つの第二係合部９２のいずれか一方と、縦方向において異なる位置に設けられる。この場合であっても、印刷装置２は、ユーザが第一カバー１００と筐体３０との係合を解除させようとした場合に、第二カバー２００と筐体３０との係合が解除されるのを、抑制できる。
【００８５】
また、図１３では、印刷装置１の第二変形例である印刷装置３を示す。印刷装置３は、二つの第一係合部９１と二つの第二係合部９２を備える。印刷装置３は、二つの第一係合部９１のいずれもが、二つの第二係合部９２と縦方向において異なる位置に設けられている点を除いて、印刷装置２と同様の構成である。印刷装置３では、第一カバー１００と筐体３０との係合を解除する操作性と、第二カバー２００と筐体３０との係合を解除する操作性とに、差が生じ易くなる。これにより、印刷装置３は、ユーザが第一カバー１００と筐体３０との係合を解除させる場合において、第二カバー２００と筐体３０との係合が解除されるのを抑制できる。
【符号の説明】
【００８６】
１、２、３          印刷装置
８                  電池
１２                第一筐体係合部
１５                操作ボタン
１７Ａ              第一穴部
２２                第二筐体係合部
２５                第二開口部
２５Ａ              第二進入穴
２９                第一穴
３０                筐体
３１                第一筐体面
３２                第二筐体面
３４Ｃ              特定筐体面
３５                第一開口部
３５Ａ              第一進入穴
３７Ａ              第二穴
７３                サーマルヘッド
７４                ローラホルダ
８１                プラテンローラ
９１                第一係合部
９２                第二係合部
１００              第一カバー
１０５              第一突出壁部
１０５Ａ            接触面
１０８              第一マーク
１１０              第一対向壁部
１２０              第一係合爪
１４０Ａ            第一延設壁部
１４０Ｂ            第一延設面
１４０Ｃ            第一部位
１５０              第一ヒンジ部
１５１              第一壁部
１５２              第一突部
２００              第二カバー
２０５              第二突出壁部
２０８              第二マーク
２１０              第二対向壁部
２４０Ａ            第二延設壁部
２４０Ｃ            特定筐体面
２４０Ｄ            第二部位
２４２              第二延設面
２５０              第二ヒンジ部
２５１              第二壁部
２５２              第二突部
Ｓ                  第一軸線
Ｗ                  第二軸線
【図１】
0006354766.tif 000002
【図２】
0006354766.tif 000003
【図３】
0006354766.tif 000004
【図４】
0006354766.tif 000005
【図５】
0006354766.tif 000006
【図６】
0006354766.tif 000007
【図７】
0006354766.tif 000008
【図８】
0006354766.tif 000009
【図９】
0006354766.tif 000010
【図１０】
0006354766.tif 000011
【図１１】
0006354766.tif 000012
【図１２】
0006354766.tif 000013
【図１３】
0006354766.tif 000014